(57)【特許請求の範囲】
【請求項１】
暗号化に用いる共通鍵を生成する鍵生成器と、
上記鍵生成器により生成された共通鍵を用いて所定の情報を暗号化して第１の暗号結果を求める第１の暗号化部と、
上記第１の暗号化部により求められた上記第１の暗号結果を表示する表示器とを有するチェッカと、
上記鍵生成器により生成された共通鍵と同一の共通鍵を生成し、生成した共通鍵を用いて上記所定の情報と同一の情報を入力して上記第１の暗号化部と同一の暗号化を行い第２の暗号結果を求める第２の暗号化部と、
上記第２の暗号化部により求められた第２の暗号結果を表示する表示部とを有する確認装置と
を備え、
上記チェッカは、上記表示器と上記鍵生成器とを分離結合する結合部を備え、
上記鍵生成器は、上記結合部による上記表示器と上記鍵生成器との結合状態を検知する結合状態検知部と、
上記共通鍵を生成する第１の鍵生成部と、
上記第１の鍵生成部により生成された上記共通鍵を記憶する第１の鍵格納部と、
上記第１の鍵生成部により共通鍵を生成するための鍵生成情報を入力する第１の鍵生成情報入力部と
を備え、
上記第１の鍵生成部は、上記第１の鍵生成情報入力部より上記鍵生成情報が入力されると、上記結合状態検知部により上記結合部による結合状態を検知して、結合状態が分離中である場合に、上記鍵生成情報をもとに共通鍵を生成して、生成した共通鍵を上記第１の鍵格納部に記憶する
ことを特徴とするイミテーションチェックシステム。
【請求項２】
上記第１の暗号化部は、上記鍵生成器と上記表示器のいずれか一方に備えられることを特徴とする請求項１記載のイミテーションチェックシステム。
【請求項３】
上記所定の情報は、時刻情報であり、
上記チェッカは、上記時刻情報を出力するタイマを、上記鍵生成器と上記表示器のいずれか一方に備え、
上記第１の暗号化部は、上記タイマより時刻情報を入力して、入力した時刻情報を上記共通鍵により暗号化して上記第１の暗号結果を求めることを特徴とする請求項１記載のイミテーションチェックシステム。
【請求項４】
上記第１の暗号化部は、所定の時間が経過する毎に上記時刻情報を上記共通鍵により暗号化して上記第１の暗号結果を求めることを特徴とする請求項３記載のイミテーションチェックシステム。
【請求項５】
上記チェッカは、共通鍵により暗号化する上記所定の情報を入力するキーを有する番号入力部を、上記鍵生成器と上記表示器のいずれか一方に備え、
上記第１の暗号化部は、上記番号入力部より入力した上記所定の情報を、上記共通鍵により暗号化して上記第１の暗号結果を求めることを特徴とする請求項２記載のイミテーションチェックシステム。
【請求項６】
上記結合状態検知部は、上記表示器と上記鍵生成部との結合が分離されるのを上記結合部より検知すると、上記第１の鍵格納部に記憶されている共通鍵を消去するとともに、上記第１の鍵生成部による共通鍵の生成を再度行うことを禁止することを特徴とする請求項１記載のイミテーションチェックシステム。
【請求項７】
上記第１の鍵生成情報入力部は、上記鍵生成情報を出力する鍵生成情報出力装置を接続して、上記鍵生成情報出力装置より鍵生成情報を入力することを特徴とする請求項１記載のイミテーションチェックシステム。
【請求項８】
上記確認装置の第２の暗号化部は、サーバであり、
上記サーバは、上記暗号化に用いる共通鍵を生成する第２の鍵生成部と、
上記第２の鍵生成部により共通鍵を生成するための鍵生成情報を入力する第２の鍵生成情報入力部と、
上記第２の鍵生成部により生成された共通鍵を記憶する第２の鍵格納部と、
上記所定の情報と同一の情報を暗号化する情報として入力する暗号化情報入力部と、
上記暗号化情報入力部より暗号化する情報を入力して、上記入力した暗号化する情報を上記第２の鍵格納部に記憶されている共通鍵で暗号化して上記第２の暗号結果を求める暗号化処理部と
を備え、
上記第２の鍵生成情報入力部が入力する鍵生成情報は、上記第１の鍵生成情報入力部が入力する鍵生成情報と同一の情報であり、
上記第２の鍵生成部は、上記第１の鍵生成部と同一の共通鍵を生成し、
上記確認装置の表示部は、上記暗号化処理部を備えたサーバのホームページを表示する表示部であって、上記暗号化処理部が求めた上記第２の暗号結果を含むホームページを表示することを特徴とする請求項１記載のイミテーションチェックシステム。
【請求項９】
上記暗号化情報入力部は、暗号化する情報としてタイマより時刻情報を入力し、上記タイマは、上記チェッカが備えるタイマと同様の時刻情報を出力し、
上記暗号化処理部は、上記タイマから出力された時刻情報を入力して、所定の時間が経過する毎に入力した時刻情報を上記第２の鍵格納部に格納されている共通鍵で暗号化して上記第２の暗号結果を求めることを特徴とする請求項８記載のイミテーションチェックシステム。
【請求項１０】
暗号化に用いる共通鍵を生成する鍵生成器と、
上記鍵生成器により生成された共通鍵を用いて所定の情報を暗号化して第１の暗号結果を求める第１の暗号化部と、
上記第１の暗号化部により求められた上記第１の暗号結果を表示する表示器とを有するチェッカと、
上記鍵生成器により生成された共通鍵と同一の共通鍵を生成し、生成した共通鍵を用いて上記所定の情報と同一の情報を入力して上記第１の暗号化部と同一の暗号化を行い第２の暗号結果を求める第２の暗号化部と、
上記第２の暗号化部により求められた第２の暗号結果を表示する表示部とを有する確認装置とを備えてイミテーションのチェックを行うイミテーションチェックの方法において、以下の工程を有することを特徴とするイミテーションチェックの方法
（ａ）上記表示器と上記鍵生成器とはそれぞれ結合部を備えて上記結合部により結合可能であり、上記表示器と上記鍵生成器とが分離状態である場合に、上記鍵生成器により共通鍵を生成する第１の共通鍵生成工程、
（ｂ）上記表示器と上記鍵生成器とが結合状態である場合に、上記第１の暗号化部により、上記所定の情報を、上記共通鍵生成工程により生成された共通鍵を用いて暗号化して上記第１の暗号結果を求める第１の暗号化処理工程、
（ｃ）上記第１の暗号化処理工程により求められた上記第１の暗号結果を、上記表示器に表示する第１の暗号結果表示工程、
（ｄ）上記第２の暗号化部により、上記第１の共通鍵生成工程により生成された共通鍵と同じ共通鍵を生成する第２の共通鍵生成工程、
（ｅ）上記第２の共通鍵生成工程により生成された共通鍵を用いて、上記第２の暗号化部により上記所定の情報を入力して上記第２の暗号結果を求める第２の暗号化処理工程、
（ｆ）上記第２の暗号化処理工程により求められた上記第２の暗号結果を、上記上記表示部に表示する第２の暗号結果表示工程、
（ｇ）上記第１の暗号結果表示工程により表示された上記第１の暗号結果と、上記第２の暗号結果表示工程により表示された上記第２の暗号結果とを比較して、上記第１の暗号結果表示工程により表示された暗号結果と上記第２の暗号結果表示工程により表示された確認情報とが等しいことを確認する暗号結果確認工程。
【請求項１１】
暗号化に用いる共通鍵を生成する鍵生成器と、
上記鍵生成器により生成された共通鍵を用いて所定の情報を暗号化して暗号結果を求める暗号化部と、
上記暗号化部により求められた上記暗号結果を表示する表示器と、
上記表示器と上記鍵生成器とを分離結合する結合部を備え、
上記鍵生成器は、上記結合部による上記表示器と上記鍵生成器との結合状態を検知する結合状態検知部と、
上記共通鍵を記憶する鍵格納部と、
上記共通鍵を生成する鍵生成部と、
上記鍵生成部により共通鍵を生成するための鍵生成情報を入力する鍵生成情報入力部と
を備え、
上記鍵生成部は、上記鍵生成情報入力部より上記鍵生成情報が入力されると、上記結合状態検知部により上記結合部による結合状態を検知して、結合状態が分離中である場合に、上記鍵生成情報をもとに共通鍵を生成する
ことを特徴するチェッカ。
【請求項１２】
上記結合状態検知部は、上記表示器と上記鍵生成器との結合が分離されるのを上記結合部より検知すると、上記鍵格納部に記憶されている共通鍵を消去するとともに、上記鍵生成部による共通鍵の生成を再度行うことを禁止することを特徴とする請求項１１記載のチェッカ。
【請求項１３】
上記暗号化部は、上記鍵生成器と上記表示器のいずれか一方に備えられることを特徴とする請求項１１記載のチェッカ。
【請求項１４】
暗号化に用いる共通鍵を生成する鍵生成器と、
上記鍵生成器により生成された共通鍵を用いて所定の情報を暗号化して暗号結果を求める暗号化部と、
上記暗号化部により求められた上記暗号結果を表示する表示器とを有するチェッカを製造するチェッカ製造方法において、以下の工程を有することを特徴とするチェッカ製造方法
（ａ）暗号化する上記所定の情報を入力する暗号化情報入力部を、上記鍵生成器と上記表示器のいずれか一方に備える工程、
（ｂ）上記暗号化情報入力部より上記暗号化する所定の情報を入力して、上記共通鍵により暗号化して上記暗号結果を求める上記暗号化部を、上記鍵生成器と上記表示器とのいずれかに備える工程、
（ｃ）上記暗号化部により暗号化された上記暗号結果を表示する暗号結果表示部を、上記表示器に備える工程、
（ｄ）上記チェッカに上記表示器と上記鍵生成器とを分離結合する結合部を備える工程、
（ｅ）上記結合部による上記表示器と上記鍵生成器との結合状態を検知する結合状態検知部を備える工程、
（ｆ）共通鍵を生成するための鍵生成情報を入力する鍵生成情報入力部を備える工程、
（ｇ）上記鍵生成情報入力部より上記鍵生成情報が入力されると、上記結合状態検知部により上記結合部による結合状態を検知して、結合状態が分離中である場合に、上記鍵生成情報をもとに共通鍵を生成する鍵生成部を備える工程、
（ｈ）上記鍵生成部により生成された共通鍵を記憶する鍵格納部を備える工程。
【発明の詳細な説明】
【０００１】
【発明の属する技術分野】
この発明は、商品の偽造を防止するためのイミテーションチェックシステム及びイミテーションのチェック方法と、商品の偽造を防止するために用いるチェック及びチェッカの製造方法に関するものである。特に、著名な商品製造会社によって製造される商品、例えば、高級カバン、高級時計などの偽造の防止に関するものである。
【０００２】
【従来の技術】
従来、高級有名ブランドのバッグや時計などの商品は、商品そのものに精妙なロゴやシリアル番号を入れることにより、偽造の防止を試みている。しかし、偽造技術水準があがり、ロゴやシリアル番号を模倣した一般の人には区別が付かない偽造品が、多く製造され流通している。
【０００３】
図１６は、高級時計の例である。高級時計は、文字盤の裏側に、偽造者の模倣を困難とする精妙なブランド会社のロゴ９００と商品固有のシリアル番号９０１を刻み込むことで、偽造を防止している。
【０００４】
【発明が解決しようとする課題】
従来のように、精妙なロゴを商品に刻み込む方法は、偽造技術の水準が上がったことで、偽造防止の有効な手段にならなくなってきているという問題がある。このため、商品が確かに正しいブランド会社により製造されたことを保証する精妙なロゴを商品に刻み込む以外の方法が必要となっている。
【０００５】
この発明では、上記した問題を解決するためにチェッカを用いて商品の偽造を防止する。
【０００６】
【課題を解決するための手段】
この発明に係わるイミテーションチェックシステムは、暗号化に用いる共通鍵を生成する鍵生成器と、
上記鍵生成器により生成された共通鍵を用いて所定の情報を暗号化して第１の暗号結果を求める第１の暗号化部と、
上記第１の暗号化部により求められた上記第１の暗号結果を表示する表示器とを有するチェッカと、
上記鍵生成器により生成された共通鍵と同一の共通鍵を生成し、生成した共通鍵を用いて上記所定の情報と同一の情報を入力して上記第１の暗号化部と同一の暗号化を行い第２の暗号結果を求める第２の暗号化部と、
上記第２の暗号化部により求められた第２の暗号結果を表示する表示部とを有する確認装置と
を備えたことを特徴とする。
【０００７】
上記チェッカは、商品に装着され、上記商品に装着されたチェッカの表示器に表示された第１の暗号結果と、上記確認装置の表示部に表示された上記第２の暗号結果とを比較して、上記商品が本物であることを確認することを特徴とする。
【０００８】
上記第１の暗号化部は、上記鍵生成器と上記表示器のいずれか一方に備えられることを特徴とする。
【０００９】
上記所定の情報は、時刻情報であり、上記チェッカは、上記時刻情報を出力するタイマを、上記鍵生成器と上記表示器のいずれか一方に備え、上記第１の暗号化部は、上記タイマより時刻情報を入力して、入力した時刻情報を上記共通鍵により暗号化して上記第１の暗号結果を求めることを特徴とする。
【００１０】
上記第１の暗号化部は、所定の時間が経過する毎に上記時刻情報を上記共通鍵により暗号化して上記第１の暗号結果を求めることを特徴とする。
【００１１】
上記チェッカは、共通鍵により暗号化する上記所定の情報を入力するキーを有する番号入力部を、上記鍵生成器と上記表示器のいずれか一方に備え、上記第１の暗号化部は、上記番号入力部より入力した上記所定の情報を、上記共通鍵により暗号化して上記第１の暗号結果を求めることを特徴とする。
【００１２】
上記チェッカは、上記表示器と上記鍵生成器とを分離結合する結合部を備え、上記鍵生成器は、上記結合部による上記表示器と上記鍵生成器との結合状態を検知する結合状態検知部と、上記共通鍵を生成する第１の鍵生成部と、上記第１の鍵生成部により生成された上記共通鍵を記憶する第１の鍵格納部と、上記第１の鍵生成部により共通鍵を生成するための鍵生成情報を入力する第１の鍵生成情報入力部とを備え、上記第１の鍵生成部は、上記第１の鍵生成情報入力部より上記鍵生成情報が入力されると、上記結合状態検知部により上記結合部による結合状態を検知して、結合状態が分離中である場合に、上記鍵生成情報をもとに共通鍵を生成して、生成した共通鍵を上記第１の鍵格納部に記憶することを特徴とする。
【００１３】
上記結合状態検知部は、上記表示器と上記鍵生成部との結合が分離されるのを上記結合部より検知すると、上記第１の鍵格納部に記憶されている共通鍵を消去するとともに、上記第１の鍵生成部による共通鍵の生成を再度行うことを禁止することを特徴とする。
【００１４】
上記第１の鍵生成情報入力部は、上記鍵生成情報を出力する鍵生成情報出力装置を接続して、上記鍵生成情報出力装置より鍵生成情報を入力することを特徴とする。
【００１５】
上記確認装置の第２の暗号化部は、サーバであり、上記サーバは、上記暗号化に用いる共通鍵を生成する第２の鍵生成部と、上記第２の鍵生成部により共通鍵を生成するための鍵生成情報を入力する第２の鍵生成情報入力部と、上記第２の鍵生成部により生成された共通鍵を記憶する第２の鍵格納部と、上記所定の情報と同一の情報を暗号化する情報として入力する暗号化情報入力部と、上記暗号化情報入力部より暗号化する情報を入力して、上記入力した暗号化する情報を上記第２の鍵格納部に記憶されている共通鍵で暗号化して上記第２の暗号結果を求める暗号化処理部とを備え、
上記第２の鍵生成情報入力部が入力する鍵生成情報は、上記第１の鍵生成情報入力部が入力する鍵生成情報と同一の情報であり、
上記第２の鍵生成部は、上記第１の鍵生成部と同一の共通鍵を生成し、
上記確認装置の表示部は、ホームページであり、上記暗号化処理部により求められた上記第２の暗号結果は、上記ホームページに送信され表示され、
上記ホームページは、上記サーバよりダウンロードされて表示されることを特徴とする。
【００１６】
上記暗号化情報入力部は、暗号化する情報としてタイマより時刻情報を入力し、上記タイマは、上記チェッカが備えるタイマと同様の時刻情報を出力し、
上記暗号化処理部は、上記タイマから出力された時刻情報を入力して、所定の時間が経過する毎に入力した時刻情報を上記第２の鍵格納部に格納されている共通鍵で暗号化して上記第２の暗号結果を求め、上記第２の暗号結果を上記ホームページに送信し、
上記ホームページは、上記暗号化処理部より送信された上記第２の暗号結果を表示することを特徴とする。
【００１７】
上記ホームページは、上記暗号化する情報を入力して、入力した情報を上記暗号化情報入力部に送信する暗号化情報送信部を備えたことを特徴とする。
【００１８】
また、この発明に係わる暗号化に用いる共通鍵を生成する鍵生成器と、
上記鍵生成器により生成された共通鍵を用いて所定の情報を暗号化して第１の暗号結果を求める第１の暗号化部と、
上記第１の暗号化部により求められた上記第１の暗号結果を表示する表示器とを有するチェッカと、
上記鍵生成器により生成された共通鍵と同一の共通鍵を生成し、生成した共通鍵を用いて上記所定の情報と同一の情報を入力して上記第１の暗号化部と同一の暗号化を行い第２の暗号結果を求める第２の暗号化部と、
上記第２の暗号化部により求められた第２の暗号結果を表示する表示部とを有する確認装置とを備えてイミテーションのチェックを行うイミテーションチェックの方法において、以下の工程を有することを特徴とするイミテーションチェックの方法
（ａ）上記表示器と上記鍵生成器とはそれぞれ結合部を備えて上記結合部により結合可能であり、上記表示器と上記鍵生成器とが分離状態である場合に、上記鍵生成器により共通鍵を生成する第１の共通鍵生成工程、
（ｂ）上記表示器と上記鍵生成器とが結合状態である場合に、上記第１の暗号化部により、上記所定の情報を、上記共通鍵生成工程により生成された共通鍵を用いて暗号化して上記第１の暗号結果を求める第１の暗号化処理工程、
（ｃ）上記第１の暗号化処理工程により求められた上記第１の暗号結果を、上記表示器に表示する第１の暗号結果表示工程、
（ｄ）上記第２の暗号化部により、上記第１の共通鍵生成工程により生成された共通鍵と同じ共通鍵を生成する第２の共通鍵生成工程、
（ｅ）上記第２の共通鍵生成工程により生成された共通鍵を用いて、上記第２の暗号化部により上記所定の情報を入力して上記第２の暗号結果を求める第２の暗号化処理工程、
（ｆ）上記第２の暗号化処理工程により求められた上記第２の暗号結果を、上記上記表示部に表示する第２の暗号結果表示工程、
（ｇ）上記第１の暗号結果表示工程により表示された上記第１の暗号結果と、上記第２の暗号結果表示工程により表示された上記第２の暗号結果とを比較して、上記第１の暗号結果表示工程により表示された暗号結果と上記第２の暗号結果表示工程により表示された確認情報とが等しいことを確認する暗号結果確認工程。
【００１９】
また、この発明に係わるチェッカは、暗号化に用いる共通鍵を生成する鍵生成器と、
上記鍵生成器により生成された共通鍵を用いて所定の情報を暗号化して暗号結果を求める暗号化部と、
上記暗号化部により求められた上記暗号結果を表示する表示器とを有するチェッカであって、
上記暗号化部は、上記鍵生成器と上記表示器とのいずれか一方に備えられることを特徴とする。
【００２０】
上記チェッカは、さらに、上記表示器と上記鍵生成器とを分離結合する結合部を備え、
上記鍵生成器は、上記結合部による上記表示器と上記鍵生成器との結合状態を検知する結合状態検知部と、
上記共通鍵を記憶する鍵格納部と、
上記共通鍵を生成する鍵生成部と、
上記鍵生成部により共通鍵を生成するための鍵生成情報を入力する鍵生成情報入力部と
を備え、
上記鍵生成部は、上記鍵生成情報入力部より上記鍵生成情報が入力されると、上記結合状態検知部により上記結合部による結合状態を検知して、結合状態が分離中である場合に、上記鍵生成情報をもとに共通鍵を生成する
ことを特徴する。
【００２１】
上記結合状態検知部は、上記表示器と上記鍵生成器との結合が分離されるのを上記結合部より検知すると、上記鍵格納部に記憶されている共通鍵を消去するとともに、上記鍵生成部による共通鍵の生成を再度行うことを禁止することを特徴とする。
【００２２】
さらに、この発明に係わる暗号化に用いる共通鍵を生成する鍵生成器と、
上記鍵生成器により生成された共通鍵を用いて所定の情報を暗号化して暗号結果を求める暗号化部と、
上記暗号化部により求められた上記暗号結果を表示する表示器とを有するチェッカを製造するチェッカ製造方法において、以下の工程を有することを特徴とするチェッカ製造方法
（ａ）暗号化する上記所定の情報を入力する暗号化情報入力部を、上記鍵生成器と上記表示器のいずれか一方に備える工程、
（ｂ）上記暗号化情報入力部より上記暗号化する所定の情報を入力して、上記共通鍵により暗号化して上記暗号結果を求める上記暗号化部を、上記鍵生成器と上記表示器とのいずれかに備える工程、
（ｃ）上記暗号化部により暗号化された上記暗号結果を表示する暗号結果表示部を、上記表示器に備える工程。
【００２３】
上記チェッカ製造方法は、さらに、上記チェッカに上記表示器と上記鍵生成器とを分離結合する結合部を備える工程と、
上記結合部による上記表示器と上記鍵生成器との結合状態を検知する結合状態検知部を備える工程と、
上記共通鍵を記憶する鍵格納部を備える工程と、
上記共通鍵を生成する鍵生成部を備える工程と、
上記鍵生成部により共通鍵を生成するための鍵生成情報を入力する鍵生成情報入力部を備える工程と
を有することを特徴とする。
【００２４】
【発明の実施の形態】
実施の形態１．
以下、この発明の実施の形態を説明する。
この実施の形態１では、タイマと共通鍵により暗号化を行う暗号化器と、暗号結果を表示する表示器とからなり、商品に装着して製品固有の暗号結果を視認可能とするチェッカを利用することを特徴とするイミテーションチェックシステムについて説明する。
また、商品の開発会社のホームページに公開された暗号結果と、購入される商品に装着されたチェッカの暗号結果との一致を確認することにより、購入される商品が本物であることを認識することを特徴とするイミテーションチェックシステムについて説明する。
また、２つの部分からなるチェッカを暗号化器と表示器とに分離すると共通鍵である鍵情報が消滅し、２度と暗号化演算ができなくなるチェッカを用いることを特徴としたイミテーションチェックシステムについて説明する。
また、共通鍵生成時に外部から数値を与え、その数値によって一意に決定する共通鍵を生成することを特徴するチェッカを用いたイミテーションチェックシステムについて説明する。
また、生成された鍵を外部に取り出すことできないことを特徴とするチェッカを利用するイミテーションチェックシステムについて説明する。
【００２５】
実施の形態１のイミテーションチェックシステムでは、カバンや時計などの商品に装着されたチェッカが時刻情報を元に、暗号処理をして、その結果をチェッカの表示部に表示する。商品の購入者は、商品購入時に商品の発売元であるブランド会社のホームページにアクセスし、そのホームページに表示されているチェック情報とチェッカの表示が一致することで、商品が本物であることを確認する。
【００２６】
まず、イミテーションチェックシステムで中心的な役割を果たす構成と動作を説明する。
【００２７】
図１は、実施の形態１におけるチェッカの構成を示す図である。
図１において、チェッカは、上部１０１と下部１０２の２つの部分からなる。上部１０１は表示器であり、表示部１０３、結合部１０５，１０６、くぼみ１０４で構成される。また、下部１０２、鍵生成部１１３、鍵生成情報入力部１１４、電源１１１、タイマ１１０、結合部１０８，１０９、くぼみ１０７、暗号部１１２、結合状態検知部である結合分離検知部１１６、鍵格納部１１５で構成される。鍵生成部１１３と、鍵生成情報入力部１１４とにより鍵生成器を構成する。
図１に示すように、実施の形態１におけるチェッカは、第１の暗号化部である暗号部１１２を、下部１０２に備えている。しかし、暗号部１１２は、表示器である上部１０１に備えられても構わない。また、タイマ１１０は、実施の形態１では図１に示すように、下部１０２に備えられている。しかし、タイマ１１０は、表示器である上部１０１に備えられても構わない。
【００２８】
図２に第１の共通鍵生成工程である鍵生成時の処理の流れを示す。
図２において、上部１０１と下部１０２が分離している状態の時に、鍵生成情報入力部１１４から共通鍵を生成するための鍵生成情報である数値を入力する（ステップＳ２０１）。鍵生成部１１３は、結合分離検知部１１６から上部１０１と下部１０２が結合部１０５，１０６，１０８，１０９によって結合されているか、現在の結合状態を入手する（ステップＳ２０２）。分離中であれば、上記ステップＳ２０１によって入力した鍵生成情報を基に、鍵生成部１１３が共通鍵を生成する（ステップＳ２０３）。鍵生成部１１３によって生成された共通鍵は鍵格納部１１５に格納される（ステップＳ２０４）。
図３に鍵生成を行うときのチェッカの様子を示す。図３において、結合部１０５，１０６，１０８，１０９は、分離状態にある。分離状態にあるとき鍵生成情報入力部１１４より鍵生成情報「５７２６９８２５６」が入力される様子を示している。図３には図示していないが、鍵生成情報は、図示していない鍵生成情報出力装置を鍵生成情報入力部１１４に接続して入力されるものとする。入力された鍵生成情報は、鍵生成部１１３に入力される。もしも、ステップＳ２０２において、上部１０１と下部１０２とが、結合状態であることが結合分離検知部１１６によって検知された場合は、鍵生成処理は実行されない。鍵を生成して格納した後、上部１０１と下部１０２とを結合部１０５と１０８、および１０６と１０９を接点として結合する。
【００２９】
上部１０１と下部１０２とが結合状態である時のチェッカの動作を図４を用いて説明する。
図４は、第１の暗号化処理工程である。
上部１０１と下部１０２とが、結合されたことが結合分離検知部１１６で検知されると（ステップＳ３０１）、暗号部１１２は、共通鍵が鍵格納部１１５に格納されていることをチェックし（ステップＳ３０２）、格納されていれば、タイマ１１０より現在時刻を取得し（ステップＳ３０３）、１分毎に時刻を暗号部１１２に入力する。この実施の形態１では、共通鍵を用いて暗号化する所定の情報を時刻としているため、暗号部１１２はタイマ１１０より現在時刻を１分ごとに入力する。１分ごとに現在時刻を入力すると、暗号化した結果が表示部１０３に表示される間隔もだいたい１分毎となる。つまり、１分毎に暗号結果が変わる。１分という時間は、人間が暗合結果を間違いなく確認できる十分な時間である。時刻情報を入力する間隔は設定によって任意に変更できる。暗号部１１２では、入力された時刻情報を鍵格納部１１５に格納されている共通鍵で暗号化する（ステップＳ３０４）。暗号化された時刻情報は、表示部１０３にて表示される（ステップＳ３０５）。表示部１０３に表示される暗号化された時刻情報は、１分ごとに変化する。これは暗号部１１２にタイマ１１０より１分ごとに時刻情報が入力され、暗号部１１２によって暗号化されるためである。
その後ステップＳ３０１に戻る。
図５に結合状態での暗号結果表示の様子を示す。図５に示すように表示部１０３には暗号化された時刻情報が「３４２５６３３」と表示される。表示されている情報は１分後に違う情報に変化する。
【００３０】
時刻情報の暗号化または、暗号結果の表示が開始された後で、上部１０１と下部１０２を分離すると、その分離が結合分離検知部１１６で検知され（ステップＳ３０１）、暗号化処理、表示処理は実施されない。そして、鍵格納部１１５に共通鍵が格納されている場合は（ステップＳ３０６）、結合分離検知部１１６によって共通鍵は消去される（ステップＳ３０７）。鍵格納部１１５に共通鍵が格納されていない場合は、そのまま図４の処理を終了する。図６に示すように共通鍵が消去されると、表示部１０３に表示されていた暗号結果も表示されなくなる。また、図６では、「鍵消去」とあたかも共通鍵が下部１０２に表示されていたように図示されているが、説明を容易にするために「鍵消去」と記載しただけであり、チェッカには共通鍵は当然表示されない。
【００３１】
上記したように、チェッカを結合部１０５，１０６及び結合部１０８，１０９において、上部１０１と下部１０２とに分離すると鍵格納部１１５に格納されていた共通鍵が消去される。しかし、結合部による結合を分離させるだけでなく、チェッカに衝撃を与えて鍵格納部１１５に格納されている共通鍵を故意に取り出そうとしても、つまり、鍵格納部１１５に対して暗号部１１２以外よりアクセスが発生したことを結合分離検知部１１６が検知すると、鍵格納部１１５に格納されている共通鍵は、結合分離検知部１１６によって消去されるものとする。一度共通鍵が消去されると、二度と共通鍵の生成を行わない様にするために、結合分離検知部１１６は、共通鍵を消去したことを示す情報を保持する。
【００３２】
次に、チェッカの表示の確認に用いられるブランド会社サーバとＷｅｂブラウザの処理の流れを示す。
【００３３】
図７は実施の形態１におけるＷｅｂブラウザとサーバとの関係を示す図である。
この実施の形態１では、第２の暗号化部をブランド会社のサーバとし、表示部をブランド会社のホームページとする。
図７に示したように、ブランド会社サーバ７０１とＷｅｂブラウザ７０３は、伝送路７０２で接続されている。ブランド会社サーバ７０１は、チェッカと同一の共通鍵を生成するための鍵生成情報を入力する鍵生成情報入力部７０４と、チェッカの鍵生成部１１３と、同一のアルゴリズムで共通鍵を生成する鍵生成部７０５と、鍵格納部７０６と、チェッカの暗号部１１２と同一のアルゴリズムで所定の情報を暗号化する暗号部７０７と、チェッカのタイマ１１０と同一の時刻情報を出力するタイマ７０８と、Ｗｅｂサーバ７０９から構成される。
【００３４】
図８にブランド会社サーバの処理の流れを示す。
【００３５】
ブランド会社サーバ７０１は、鍵生成情報入力部７０４から、チェッカに入力された鍵生成情報と同一の情報を取得する（ステップＳ８０１）。鍵生成情報を入力するのは、ブランド会社サーバに接続されたキーボードより入力しても構わないし、或いは、チェッカが接続した鍵生成情報出力装置と同一の装置をブランド会社サーバ７０１に接続して、接続した鍵生成情報出力装置より鍵生成情報を入力しても構わない。いずれの方法によっても、チェッカに入力された鍵生成情報と同一の鍵生成情報をブランド会社サーバ７０１に入力する。入力した情報を用いて鍵生成部７０５で共通鍵を生成し（ステップＳ８０２、第２の共通鍵生成工程）、生成された共通鍵を鍵格納部７０６に格納する（ステップＳ８０３）。その後、タイマ７０８により時刻情報である現在時刻を取得し（ステップＳ８０４）、１分毎に暗号部７０７に入力する。暗号部７０７では、入力された時刻情報を鍵格納部７０６に格納されている共通鍵で暗号化する（ステップＳ８０５、第２の暗号化処理工程）。暗号化された時刻情報は、Ｗｅｂサーバ７０９にホームページ情報として保存される（ステップＳ８０６）。そしてステップＳ８０４に戻り、１分毎に時刻情報を入力してステップＳ８０４〜ステップＳ８０６の処理を繰り返す。
【００３６】
チェッカの表示を確認するためのＷｅｂブラウザでの処理を図９に示す。
ブランド会社のＵＲＬ（ＵＲＬ：ｕｎｉｆｏｒｍ  ｒｅｓｏｕｒｃｅ  ｌｏｃａｔｏｒの略）の入力を指定されたＷｅｂブラウザ７０３は、伝送路７０２を介して、Ｗｅｂサーバ７０９にアクセスし（ステップＳ９０１）、Ｗｅｂサーバ７０９からホームページをダウンロードする。ダウンロードされたホームページはＷｅｂブラウザ７０３で表示される。その表示には、時刻情報の暗号結果が含まれている（ステップＳ９０２）。
【００３７】
図１０、図１１に実施の形態１におけるイミテーションチェックシステムの処理の流れを示す。
まず、第２の共通鍵生成工程において、ブランド会社サーバにて、鍵生成情報入力部７０４より、鍵生成情報を入力し、共通鍵を生成する（ステップＳ１００１、ステップＳ２００１）。ステップＳ１００１の処理の詳細は、図８に示す通りである。特に図８のステップＳ８０６は図１１のステップＳ２００５に当たる。次に、商品の数分のチェッカを用意し（チェッカは上部と下部とを結合してあるものとする）、各チェッカに対して、ステップＳ１００１に入力した鍵生成情報と同一の鍵生成情報を入力することで、ブランド会社サーバ７０１と同一の共通鍵を生成する（ステップＳ１００２、ステップＳ２００２、第１の共通鍵生成工程）。そして、商品にチェッカを装着する（ステップＳ１００３、ステップＳ２００３）。この時、チェッカの上部１０１と下部１０２は、結合部によって結合されていても構わないし、または、結合されていなくても構わない。結合されていない場合は、チェッカ上部１０１と、チェッカ下部１０２は、それぞれ別々に商品に装着しなければならない。そして、商品に装着した後でチェッカの上部と下部を結合して上記ステップＳ１００２の処理を行なう。
【００３８】
商品に装着されたチェッカは、図４のステップＳ３０１からステップＳ３０５の繰り返し処理を実行する。
【００３９】
チェッカが装着された商品は、商店に運ばれ展示される（ステップＳ２００４）。この際、チェッカが分離されて外されたり、改造を試みるために分解されたりすると、不正な動作を結合分離検知部１１６が検知し、結合分離検知部１１６によってチェッカ内部の鍵が消失される。そして、時刻情報を暗号化したの暗号結果の表示が停止され、表示部１０３の表示が消える（ステップＳ２００７）。不正な動作が行われなければ、チェッカの表示部１０３には暗合結果が表示される（第１の暗号結果表示工程）。
【００４０】
次に、暗号結果確認工程においてチェッカの装着された商品を客が購入する際には、展示しているお店の店員が店の端末でブランド会社のホームぺージ７２０にアクセスし（ステップＳ１００４、第２の暗号結果表示工程）、チェッカおよびホームページ７２０に表示される時刻情報を暗号化した値７２１（イミテーションチェック番号）が一致することを確認し、客にも見せる（ステップＳ１００５、ステップＳ２００６）。また、暗号部１１２は、タイマ１１０より１分ごとに時刻情報を入力して暗号化するため、表示部１０３に表示されるイミテーションチェック番号は、１分毎に変わる。このため、チェッカの表示部１０３に表示される暗号結果が一分後に変ったとき、再度ホームページにアクセスし、イミテーションチェック番号が再度一致することを確認する（ステップＳ１００６）。再度ホームページにアクセスすると、ブランド会社サーバ７０１の暗号部７０７は、チェッカと同様にタイマ７０８より１分毎に時刻情報を入力し暗号化を行っているので、１分経過する毎にブランド会社のホームページをアクセスすると、ホームページに表示されるイミテーションチェック番号が変わる。この一致のチェックは、客が自分の保持しているモバイル端末からブランド会社のホームページにアクセスすることで、客自身が実施してもよい。
上記ステップＳ１００６の確認処理は、１度でなく複数回行うことによって購入しようとしている商品が本物であることを確実に確認することができる。
【００４１】
客は商品が偽造品でないことを確認し、商品の購入を決めると、店員もしくは客はチェッカを商品からはずす（ステップＳ１００７）。
【００４２】
購入者が中古品として売る際に、チェッカが装着されている必要がある場合を想定して、チェッカを通常の使用に差し支えないように、小型化し、商品内に収納することも考えられる。
【００４３】
また、チェッカの表示部１０３に表示された暗号結果とブランド会社のホームページに表示された暗号結果とを確認するのは、商品の購入がされたときであったが、商品をお店に陳列するときに店員がホームページをアクセスして陳列する商品が本物であるかどうか確認しても構わない。
【００４４】
また、上記説明では、チェッカを商品の数分用意し、チェッカを一つづつ商品に装着していった。共通鍵は全てのチェッカで同一であり、時刻情報を共通鍵によって暗号化しているので、どのチェッカも表示部に表示される結果は、同じである。しかし、商品毎に暗号結果を変えたい場合は、時刻情報を暗号化するのではなく商品固有の商品番号を暗号化して、商品が本物であるかどうか確認することも可能である。この例については、以下の実施の形態２において詳細な説明を行う。
【００４５】
また、上記説明では、チェッカの下部１０２に暗号部１１２とタイマ１１０が備えられていた。しかし、暗号部１１２とタイマ１１０は、それぞれチェッカ上部１０１に備えられても構わない。
【００４６】
また、上記説明では、チェッカ上部１０１とチェッカ下部１０２とが結合状態であるときに分離されると、鍵格納部１１５に格納されていた共通鍵が結合分離検知部１１６によって消去され、２度と暗号化を行うことができないと説明を行った。しかし、鍵格納部１１５に格納されている共通鍵を消去するだけでは、チェッカの上部１０１とチェッカの下部１０２とを再度結合させたときに共通鍵が生成される可能性がある。このため、鍵格納部１１５に格納されている共通鍵を消去したときに共通鍵を消去したということを示す情報を鍵格納部１１５に記憶させ、結合分離検知部１１６は、過去に共通鍵を消去した履歴を確認して履歴が残っている場合は、再度チェッカの上部１０１と下部１０２とが結合されても共通鍵を生成しないようにさせることが可能である。
【００４７】
また、共通鍵を取り出すための手段は、チェッカ上部１０１と下部１０２とを分離させるだけとは限らない。このため、商品の偽造を防ぐ手段として、鍵格納部にアクセスできるのは鍵生成部と暗号部と結合状態検知部のみに限定し、その他からアクセスが行われた場合は不正アクセスとして、鍵格納部に格納されている共通鍵を消去させるという方法であっても構わない。
【００４８】
以上のように本発明の実施の形態１では、商品に装着したチェッカに表示されるイミテーションチェック番号とブランド会社ホームページのイミテーションチェック番号が一致することで、商品が偽造品でないことが保証される。チェッカとブランド会社サーバが時刻情報の暗号化に用いる共通鍵は、ブランド会社が機密に管理する鍵生成情報から生成されるので、ブランド会社と異なる会社が共通鍵生成部を提供しても、その共通鍵生成部提供会社は、実際に利用される共通鍵を推測することはできない。
【００４９】
また共通鍵暗号アルゴリズムとしてＭＩＳＴＹ（三菱電機株式会社が開発した入力データを暗号化するときに用いる暗号方式の名称である）を用いることで、時刻とその時刻の暗号結果を入手してもその暗号に用いられた鍵を推定することは困難であることが保証される。
【００５０】
また、共通鍵暗号アルゴリズムとしてＭＩＳＴＹを用いることで、チェッカの表示部１０３或いは、ホームページに表示された過去のイミテーションチェック番号を入手しても、未来に表示されるイミテーションチェック番号が何になるかを予測することは困難であることが保証される。
【００５１】
また、偽造集団がブランド会社ホームページを模倣して暗号結果の表示を一分毎に繰り返すホームページを作成したり、チェッカを模倣して同じ様なチェッカを作成しても、チェッカまたはブランド会社サーバに内蔵されている共通鍵を入手する必要があり、時刻情報と暗号結果を入手して解析しても、内蔵されている共通鍵を推測することはできない。
【００５２】
また、偽造集団が偽造したチェッカと、偽造したブランド会社ホームページを用いることも考えられる。しかし、アクセスされるブランド会社のホームページのＵＲＬは広く公開され公知であり、同一ＵＲＬで、偽造ホームページにアクセスさせるためには、インターネットに分散配置されている、ＵＲＬとＩＰアドレスのマッピングテーブルを改ざんする必要がある。それは困難なことである。
【００５３】
また、偽造集団がチェッカを分離して、偽造商品に再装着しようとすると、分離した時点でチェッカ内の鍵が消去され、二度と正しいイミテーションチェック番号を表示しなくなる。
さらに、偽造集団がチェッカを分解して、内部の共通鍵情報の取得を試みると、やはり、同様に、チェッカ内の鍵が消去され、二度と正しいイミテーションチェック番号を表示しなくなる。
【００５４】
そこで、偽造集団に残された偽造の方法としては、チェッカの装着された商品を実際に入手し、商品を分解して、チェッカを商品から分離せずに外し、あらたな偽造商品にチェッカを分離しない状態を保ちながら装着することである。しかし、この場合、偽造集団は本物の商品を購入または窃盗する必要があり、偽造するコストが高くなるので、偽造の意味がなくなる。
【００５５】
以上のように、チェッカを用いたイミテーションチェックシステム及びイミテーションチェックの方法、チェッカ、チェッカの製造方法とにより偽造を効果的に防止することができる。
【００５６】
実施の形態２．
本発明の実施の形態２においては、チェッカとホームページのそれぞれに番号入力部を設け、実施の形態１における時刻情報のかわりに、番号入力部から入力される番号を暗号化する。その様子を図１２、図１３、図１４、図１５に示す。
【００５７】
図１２は、実施の形態２におけるチェッカ上部１０１に番号入力部を備えたチェッカの例を示す図である。
図１２に示すように、チェッカは電卓と同様の番号入力部１２０を備えている。上部１０１と、下部１０２とを分離している時に、鍵生成情報入力部１１４より、鍵生成情報を入力すると、鍵生成部１１３によって入力された鍵生成情報を用いて共通鍵が生成され、生成された共通鍵は鍵格納部１１５に格納される。これは、上記で説明した実施の形態１と同じである。その後、上部１０１と、下部１０２とを図３のように結合した後は、番号入力部１２０から入力された番号情報を暗号部１１２によって鍵格納部１１５に格納されている共通鍵を用いて暗号化し、表示部１０３に表示する。そして、図６のようにチェッカの上部１０１と下部１０２とが分離されると、下部の鍵格納部１１５に格納されている鍵が消去され、入力された番号を暗号化して表示することができなくなる。
【００５８】
図１３は、番号入力部より番号情報を入力して暗号化する例を示す図である。図１３では番号入力部１２０から「７４３８９６９」を入力し（入力した番号情報は表示部１０３に表示され、入力した値を確認できる）、チェックボタン「ｃｈｅｃｋ」を押されることで、「７４３８９６９」を鍵格納部１１５に保存されている共通鍵で暗号化する。そして、暗合した結果である「３０９７９５４」が表示部１０３に表示されている例を示している。
また、図１４はホームページより番号情報を入力して、暗合結果を得る例を説明している。図１４において、ブランド会社のホームページにアクセスした際に、ホームページ７２０には番号入力部７２２が備えられ、番号入力部７２２に対して図示しないキーボードから、「７４３８９６９」を入力し、ＯＫボタン７２３をクリックする。ＯＫボタン７２３をクリックすると、ブランド会社サーバ７０１の鍵格納部７０６に格納されている、チェッカと同一の共通鍵を用いて暗号部７０７によって「７４３８９６９」が暗号化され、その暗号結果「３０９７９５４」がホームページ７２０の表示部７２１に表示される。
【００５９】
図１３及び図１４の番号入力部より入力する番号は、商品固有の番号や日付情報など、番号入力部１２０に備えられているＫＥＹより入力できる値であれば何でも構わない。チェッカの暗号部１１２とブランド会社のサーバの暗号部７０７は、同一のアルゴリズムによって暗号を行う暗号部である。また、鍵格納部７０６及び１１５に格納されている共通鍵は同一であるため、同じ共通鍵を用いて同じアルゴリズムの暗号部によって暗合される結果は同じになる。
【００６０】
また、図１２に示したチェッカは上部１０１に番号入力部１２０を備えていた。しかし、番号入力部１２０は、チェッカの下部１０２に備えられても構わない。
また、図１２のチェッカは上記実施の形態１で説明したように、チェッカ上部１０１と下部１０２とを不正に分離させると、鍵格納部１１５に格納されている共通鍵が、結合分離検知部１１６によって消去される。
【００６１】
以上のように本実施の形態２では、タイマを用いずに、チェッカの装着された商品が本物であることを確認したい人が、自分で乱数を選び、その乱数をチェッカ、及び、ブランド会社ホームページに入力し、表示される暗号結果が、チェッカとホームページで一致することを確認するようにしている。
【００６２】
確認する人の入力する乱数値は偽造集団には予測できず、また共通鍵暗号方式を用いることにより異なる乱数を同一の共通鍵で暗号化すれば、異なる暗号結果になる。さらに、ある乱数の暗号結果がわかっても、別の乱数の暗号結果を推測することはできない。したがって、チェッカとブランド会社のホームページを両方偽造しない限り、イミテーションチェックシステムを無効にすることはできない。しかし、ブランド会社のホームページを偽造することは、前述したように困難である。
したがって、本実施の形態２でも、偽造を有効に防止することができる。
【００６３】
【発明の効果】
以上に説明した実施の形態１、２におけるイミテーションチェックシステムは、チェッカの表示器と確認装置の表示部にそれぞれ表示された第１の暗号結果、第２の暗号結果とを視覚的に比較できるので、例えばチェッカを商品に装着し確認装置を商品のあるところで操作することができれば、確認装置の表示部に表示された第２の暗号結果と、商品に装着されたチェッカの表示器に表示された第１の暗号結果とを比較して、２つが等しいことを確認できれば、商品が本物であることを確認できる効果がある。
【００６４】
また、チェッカは上部と下部に分離することが可能であり、所定の情報を暗号化する第１の暗号化部はチェッカの上部に備えられても下部に備えられても構わない。このため、チェッカに暗号化部を備える工程において、どちらにも設置できるように設計することができる効果がある。
【００６５】
また、タイマより時刻状況を入力して暗号化を行うので、１秒或いは１分などの所定の時間の単位で、暗号化を行い暗号結果を表示させることができる。このため、暗号結果が所定の時間単位で変化するので、確認装置の表示部に表示された暗号結果と、表示部に表示された暗号結果とを比較する場合において、比較結果の信頼性を上げることができる効果がある。
【００６６】
また、チェッカは、暗号化する所定の情報を入力する番号入力部を備えた。このため、任意の値を入力して暗号化を行うことができる効果がある。
【００６７】
また、チェッカは、表示器と鍵生成器との２つよりなり、上記２つはそれぞれ結合部によって分離結合することができる。このため、分離中に鍵を生成し、鍵格納部に格納しておけば、結合した後不正な行為によってチェッカが破壊されると共通鍵が消去され、再度暗号化を行うことができなくなる。このようなチェッカを商品に装着しておき、確認装置の表示部に表示された暗号結果と比較することによって偽造を防止することができる効果がある。
【００６８】
また、鍵生成情報を出力する鍵生成情報出力装置を接続して鍵生成情報をチェッカ下部に入力する。このため、チェッカ下部には直接鍵生成情報を入力するキー等の入力手段は備えられていないので、不正に共通鍵を生成しようとしても生成することができず、このようなチェッカを装着した商品の偽造を防止することができる効果がある。
【００６９】
また、確認装置の表示部はホームページであり、確認装置の第２の暗号部はサーバである。サーバはチェッカと同じ鍵生成部と暗号部を備えた。このため、このようなチェッカを商品に装着することにより、また、確認装置はタイマもそなえたので、チェッカの確認チェックが、例えば１分毎に変化されることになっても、ホームページに表示された確認結果も、１分毎に変化させることができるので、より信頼性の高い比較を行うことができる効果がある。
【図面の簡単な説明】
【図１】  実施の形態１におけるチェッカの構成図。
【図２】  実施の形態１におけるチェッカの鍵生成処理手順を示す図。
【図３】  実施の形態１における初期の鍵生成時のチェッカを説明する図。
【図４】  実施の形態１におけるチェッカの上部と下部とを結合したときの処理手順を説明する図。
【図５】  実施の形態１におけるチェッカの上部と下部の結合を行ったときの図。
【図６】  実施の形態１におけるチェッカの上部と下部とを分離したときの図。
【図７】  実施の形態１における確認装置の構成図。
【図８】  実施の形態１におけるサーバの処理手順を示す図。
【図９】  実施の形態１におけるホームページを表示するための手順を説明する図。
【図１０】  実施の形態１におけるサーバでの鍵を生成する手順を説明する図。
【図１１】  実施の形態１におけるイミテーションチェックシステム及びイミテーションチェック方法の手順を説明する図。
【図１２】  実施の形態２におけるチェッカの構成図。
【図１３】  実施の形態２におけるチェッカの暗号化を行ったときに暗号結果が表示されることを説明する図。
【図１４】  実施の形態２におけるホームページに番号入力部を備えた場合の図。
【図１５】  実施の形態２におけるチェッカの上部と下部とを分離したときの図。
【図１６】  従来のイミテーションチェック方法を説明する図。
【符号の説明】
１０１  チェッカ上部、１０２  チェッカ下部、１０３  表示部、１０５，１０６，１０８，１０９  結合部、１１０  タイマ、１１１  電源、１１２  暗号部、１１３  鍵生成部、１１４  鍵生成情報入力部、１１５  鍵格納部、１１６結合分離検知部、１２０  番号入力部、７０１  ブランド会社サーバ、７０２伝送路、７０３  Ｗｅｂブラウザ、７０４  鍵生成情報入力部、７０５  鍵生成部、７０６  鍵格納部、７０７  暗号部、７０８  タイマ、７０９  Ｗｅｂサーバ、７２０  ホームページ、７２１  時刻情報を暗号化した値、もしくは、表示部、７２２  番号入力部、７２３  ＯＫボタン。
【図１】
0003983429.tif 000002
【図２】
0003983429.tif 000003
【図３】
0003983429.tif 000004
【図４】
0003983429.tif 000005
【図５】
0003983429.tif 000006
【図６】
0003983429.tif 000007
【図７】
0003983429.tif 000008
【図８】
0003983429.tif 000009
【図９】
0003983429.tif 000010
【図１０】
0003983429.tif 000011
【図１１】
0003983429.tif 000012
【図１２】
0003983429.tif 000013
【図１３】
0003983429.tif 000014
【図１４】
0003983429.tif 000015
【図１５】
0003983429.tif 000016
【図１６】
0003983429.tif 000017